【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
平行に配置された複数の走査電極と、この走査電極と隔離されて直交する複数のアドレス電極とを備え、前記走査電極とアドレス電極との交差部を放電セルとするプラズマディスプレイパネルに対し、前記放電セル一つ一つについて点灯或いは消灯の選択を行う期間において、前記複数の走査電極に走査パルスを順次に発生させる駆動装置であって
（１）クリア信号及びシフト入力を受け、
前記クリア信号が非活性の場合には前記シフト入力をシフトさせて順次第１乃至第Ｎ（Ｎ＞１）の走査信号を出力し、前記クリア信号が活性の場合にはレジスタの内容がクリアされるシフトレジスタと、
（２）前記第１乃至第Ｎの走査信号に基づいて、第１乃至第Ｎの前記複数の走査電極に与えられる前記走査パルスを生成する出力部と
を備えるプラズマディスプレイパネルの駆動装置。
【請求項２】
クリア信号とシフトレジスタは、各々複数のクリア信号と複数のシフトレジスタとからなり、上記複数のクリア信号の各々は、上記複数のシフトレジスタに対応して個別に入力され、順次に非活性状態になってシフト入力をシフトさせて第１乃至第Ｎ（Ｎ＞１）の走査信号を出力するように構成されると共に、入力された上記シフトレジスタにおいて、放電セル一つ一つについて点灯或いは消灯の選択を行う期間の少なくとも前に、活性状態にあることを特徴とする請求項１記載のプラズマディスプレイパネルの駆動装置。
【請求項３】
複数のクリア信号のうち、１つのクリア信号が入力され、この入力されたクリア信号を遅延させて次のクリア信号を出力する遅延回路を更に備え、上記遅延回路により上記複数のクリア信号を生成することを特徴とする請求項２記載のプラズマディスプレイパネルの駆動装置。
【請求項４】
平行に配置された複数の走査電極と、この走査電極と隔離されて直交する複数のアドレス電極とを備え、前記走査電極とアドレス電極との交差部を放電セルとするプラズマディスプレイパネルに対し、前記放電セル一つ一つについて点灯或いは消灯の選択を行う期間において、前記走査電極に走査パルスを順次発生させる駆動方法であって
（１）シフトレジスタにシフト入力を与え、前記シフト入力をシフトさせて第１乃至第Ｎ（Ｎ＞１）の走査信号を順次に出力する工程と、
（２）前記第１乃至第Ｎの走査信号に基づいて、第１乃至第Ｎの前記複数の走査電極に与えられる走査パルスを生成する工程と、
（３）前記放電セル一つ一つについて点灯或いは消灯の選択を行う期間の少なくとも前に、前記シフトレジスタの内容をクリアする工程と、
を備えるプラズマディスプレイパネルの駆動方法。
【請求項５】
シフトレジスタは、複数のシフトレジスタからなり、上記複数のシフトレジスタは（１）、（２）の工程を順次に実行して第１乃至第Ｎ（Ｎ＞１）の走査信号を出力すると共に、上記複数のシフトレジスタ各々において、（３）の工程を個別に実行することを特徴とする請求項４に記載のプラズマディスプレイパネルの駆動方法。
【手続補正２】
【補正対象書類名】明細書
【補正対象項目名】００２２
【補正方法】変更
【補正の内容】
【００２２】
【課題を解決するための手段】
この発明のうち請求項１にかかるものは、平行に配置された複数の走査電極と、この走査電極と隔離されて直交する複数のアドレス電極とを備え、前記走査電極とアドレス電極との交差部を放電セルとするプラズマディスプレイパネルに対し、前記放電セル一つ一つについて点灯或いは消灯の選択を行う期間において、前記複数の走査電極に走査パルスを順次に発生させる駆動装置であって、（１）クリア信号及びシフト入力を受け、前記クリア信号が非活性の場合には前記シフト入力をシフトさせて順次第１乃至第Ｎ（Ｎ＞１）の走査信号を出力し、前記クリア信号が活性の場合にはレジスタの内容がクリアされるシフトレジスタと、（２）前記第１乃至第Ｎの走査信号に基づいて、第１乃至第Ｎの前記複数の走査電極に与えられる前記走査パルスを生成する出力部とを備える。
【手続補正３】
【補正対象書類名】明細書
【補正対象項目名】００２３
【補正方法】変更
【補正の内容】
【００２３】
この発明のうち請求項２にかかるものは、請求項１記載のプラズマディスプレイパネルの駆動装置であって、クリア信号とシフトレジスタは、各々複数のクリア信号と複数のシフトレジスタとからなり、上記複数のクリア信号の各々は、上記複数のシフトレジスタに対応して個別に入力され、順次に非活性状態になってシフト入力をシフトさせて第１乃至第Ｎ（Ｎ＞１）の走査信号を出力するように構成されると共に、入力された上記シフトレジスタにおいて、放電セル一つ一つについて点灯或いは消灯の選択を行う期間の少なくとも前に、活性状態にあるものである。
【手続補正４】
【補正対象書類名】明細書
【補正対象項目名】００２４
【補正方法】変更
【補正の内容】
【００２４】
この発明のうち請求項３にかかるものは、請求項２記載のプラズマディスプレイパネルの駆動装置であって、複数のクリア信号のうち、１つのクリア信号が入力され、この入力されたクリア信号を遅延させて次のクリア信号を出力する遅延回路を更に備え、上記遅延回路により上記複数のクリア信号を生成するものである。
【手続補正５】
【補正対象書類名】明細書
【補正対象項目名】００２５
【補正方法】変更
【補正の内容】
【００２５】
この発明のうち請求項４にかかるものは、平行に配置された複数の走査電極と、この走査電極と隔離されて直交する複数のアドレス電極とを備え、前記走査電極とアドレス電極との交差部を放電セルとするプラズマディスプレイパネルに対し、前記放電セル一つ一つについて点灯或いは消灯の選択を行う期間において、前記走査電極に走査パルスを順次発生させる駆動方法であって（１）シフトレジスタにシフト入力を与え、前記シフト入力をシフトさせて第１乃至第Ｎ（Ｎ＞１）の走査信号を順次に出力する工程と、（２）前記第１乃至第Ｎの走査信号に基づいて、第１乃至第Ｎの前記複数の走査電極に与えられる走査パルスを生成する工程と、（３）前記放電セル一つ一つについて点灯或いは消灯の選択を行う期間の少なくとも前に、前記シフトレジスタの内容をクリアする工程とを備えるプラズマディスプレイパネルの駆動方法である。
【手続補正６】
【補正対象書類名】明細書
【補正対象項目名】００２６
【補正方法】変更
【補正の内容】
【００２６】
この発明のうち請求項５にかかるものは、請求項４記載のプラズマディスプレイパネルの駆動装置であって、シフトレジスタは、複数のシフトレジスタからなり、上記複数のシフトレジスタは（１）、（２）の工程を順次に実行して第１乃至第Ｎ（Ｎ＞１）の走査信号を出力すると共に、上記複数のシフトレジスタ各々において、（３）の工程を個別に実行するものである。
【手続補正７】
【補正対象書類名】明細書
【補正対象項目名】００５２
【補正方法】変更
【補正の内容】
【００５２】
【発明の効果】
この発明のうち請求項１にかかるプラズマディスプレイパネルの駆動装置によれば、例えば消去期間や維持放電期間においてクリア信号を活性化させることにより、これらの期間においてノイズに基づいて不要なパルスが発生しても、この不要なパルスに基づいてシフトレジスタから走査信号として出力されることがない。従って点灯或いは消灯の選択を行う期間において不要な走査パルスが発生せず、誤放電が生じず、正常な表示画像を得ることができる。
【手続補正８】
【補正対象書類名】明細書
【補正対象項目名】００５３
【補正方法】変更
【補正の内容】
【００５３】
この発明のうち請求項２にかかるディスプレイパネルの駆動装置によれば、１つのシフトレジスタにおいて走査信号が生成されるべき期間に不要なパルスが生じても、他のシフトレジスタの内容がクリアされるので、他のシフトレジスタにおいて走査信号が生成されるべき期間にまで不要なパルスは影響しない。勿論、あるシフトレジスタで走査信号が生成されるべき期間において、そのシフトレジスタより前に走査信号生成処理を実行したシフトレジスタへのクリア信号を非活性としても、時間的前後関係から、ここで生じた不要なパルスは走査信号生成処理を実行済みのシフトレジスタにおいて走査信号が生成されるべき期間に誤放電を起こすことはない。
【手続補正９】
【補正対象書類名】明細書
【補正対象項目名】００５４
【補正方法】変更
【補正の内容】
【００５４】
この発明のうち請求項３にかかるディスプレイパネルの駆動装置によれば、クリア信号を容易に生成することができる。
【手続補正１０】
【補正対象書類名】明細書
【補正対象項目名】００５５
【補正方法】変更
【補正の内容】
【００５５】
この発明のうち請求項４にかかるプラズマディスプレイパネルの駆動方法によれば、消去期間においてノイズに基づいて不要なパルスが発生しても、この不要なパルスに基づいてシフトレジスタから走査信号として出力されることがない。従って点灯或いは消灯の選択を行う期間において不要な走査パルスが発生せず、誤放電が生じず、正常な表示画像を得ることができる。
【手続補正１１】
【補正対象書類名】明細書
【補正対象項目名】００５６
【補正方法】変更
【補正の内容】
【００５６】
この発明のうち請求項５にかかるプラズマディスプレイパネルの駆動方法によれば、１つのシフトレジスタにおいて走査信号が生成されるべき期間に不要なパルスが生じても、他のシフトレジスタの内容がクリアされるので、他のシフトレジスタにおいて走査信号が生成されるべき期間にまで不要なパルスは影響しない。勿論、あるシフトレジスタで走査信号が生成されるべき期間において、そのシフトレジスタより前に走査信号生成処理を実行したシフトレジスタへのクリア信号を非活性としても、時間的前後関係から、ここで生じた不要なパルスは走査信号生成処理を実行済みのシフトレジスタにおいて走査信号が生成されるべき期間に誤放電を起こすことはない。